【手続補正書】
【提出日】令和3年4月27日(2021.4.27)
【手続補正１】
【補正対象書類名】特許請求の範囲
【補正対象項目名】全文
【補正方法】変更
【補正の内容】
【特許請求の範囲】
【請求項１】
創傷に陰圧を適用する装置であって、
流体流路を介して創傷被覆材に陰圧を提供するように構成される陰圧源と、
ユーザ入力に応答して第一の対の電気接点の状態と第二の対の電気接点の状態とを切り替えるように構成されたアクチュエータを備えるスイッチであって、当該スイッチが前記ユーザ入力を当該スイッチの押下として受信するように構成されている、スイッチと、
制御回路であって、
電気接続状態にある前記第一の対の電気接点および電気接続状態にある前記第二の対の電気接点に応答して、前記陰圧源で陰圧を供給し、
電気接続状態にない前記第一の対の電気接点および電気接続状態にない前記第二の対の電気接点に応答して、前記陰圧源で陰圧を供給することを無効化するように構成される制御回路と、を備える、装置。
【請求項２】
前記制御回路が、前記電気接続状態にある前記第一の対の電気接点および前記電気接続状態にない前記第二の対の電気接点に応答して、前記陰圧源で陰圧を供給することを無効化にするように構成される、請求項１に記載の装置。
【請求項３】
前記アクチュエータが、前記ユーザ入力に応答して、前記第一の対の電気接点の前記状態と前記第二の対の電気接点の前記状態とを同時に切り替えるように構成される、請求項１または２に記載の装置。
【請求項４】
前記制御回路が、前記スイッチへの前記ユーザ入力以外のユーザ入力がないことに応答して、前記陰圧源で陰圧を供給するように構成される、請求項１〜３のいずれか一つまたは複数に記載の装置。
【請求項５】
アクチュエータが故障し、前記第一の対の電気接点の前記状態または前記第二の対の電気接点の前記状態を切り替えることができなくなると、前記制御回路が、前記陰圧源で陰圧を供給しなくなるようにさらに構成される、請求項１〜４のいずれか一つまたは複数に記載の装置。
【請求項６】
前記制御回路が、前記第二の対の電気接点の前記状態の切り替えに続く閾値期間内に切り替わらない前記第一の対の電気接点の前記状態に応答して、スイッチ故障を検出するようにさらに構成される、任意で、前記閾値期間が、０．５秒、１秒、２秒、３秒、または５秒である、請求項１〜５のいずれか一つまたは複数に記載の装置。
【請求項７】
前記制御回路が、前記スイッチ故障の検出に応答して、スイッチ故障表示を出力するようにさらに構成される、請求項６に記載の装置。
【請求項８】
第一の対の電気接点が、複数の第一のトレースを含み、前記第二の対の電気接点が、複数の第二のトレースを含み、前記アクチュエータが、前記ユーザ入力に応答して、前記複数の第一のトレースを互いに短絡させ、前記複数の第二のトレースを互いに短絡させるように構成される、請求項１〜７のいずれか一項に記載の装置。
【請求項９】
前記陰圧源が、前記創傷被覆材上またはその中に配置される、請求項１〜８のいずれか一項に記載の装置。
【請求項１０】
前記制御回路が、前記陰圧源の動作の停止、前記流体流路内に位置付けられたベントの開放、または前記流体流路内に位置付けられた弁の閉鎖によって、前記陰圧源での陰圧の供給を無効化するように構成される、請求項１〜９のいずれか一項に記載の装置。
【請求項１１】
創傷への陰圧の適用を制御するための方法であって、前記方法が、
スイッチのアクチュエータを使用して、前記スイッチへの前記スイッチの押下としてのユーザ入力の受信に応答して、第一の対の接点の状態と第二の対の接点の状態とを切り替えることと、
前記第一の対の接点の前記状態が第一の状態であり、前記第二の対の前記状態が第二の状態であることに応答して、流体流路を介して創傷被覆材に陰圧源で陰圧を供給することと、
前記第一の対の接点の前記状態が第一の状態にはなく、前記第二の対の接点の前記状態が第二の状態にはないことに応答して、前記陰圧源での陰圧の供給を無効化することと、を含み、
一回目では、前記第一の対の接点の前記状態が前記第一の状態であり、前記第二の対の接点の前記状態が前記第二の状態であり、二回目では、前記第一の対の接点の前記状態が前記第一の状態ではなく、前記第二の対の接点の前記状態が前記第二の状態ではない、方法。
【請求項１２】
前記第一および前記第二の状態が、電気接続の形成に対応する、請求項１１に記載の方法。
【請求項１３】
三回目では、前記第一の対の接点の前記状態が前記第一の状態であり、前記第二の対の接点の前記状態が前記第二の状態ではない、請求項１１または１２に記載の方法。
【請求項１４】
前記切り替えることが、前記スイッチへの前記ユーザ入力の受信に応答して、前記第一の対の接点の前記状態と前記第二の対の接点の前記状態とを同時に切り替えることを含む、請求項１１〜１３のいずれか一項に記載の方法。
【請求項１５】
前記第二の対の接点の前記状態の切り替えに続く閾値期間内で切り替わらない前記第一の対の接点の前記状態に応答して、スイッチ故障を検出することをさらに含み、任意で、前記閾値期間が０．５秒〜５秒である、請求項１１〜１４のいずれか一項に記載の方法。
【請求項１６】
前記検出することに応答して、ユーザへの呈示のためにスイッチ故障表示を出力することをさらに含む、請求項１５に記載の方法。
【請求項１７】
前記無効化することが、前記陰圧源の動作の停止、前記流体流路内に位置付けられたベントの開放、または前記流体流路内に位置付けられた弁の閉鎖によって、前記陰圧源での陰圧の供給を無効化することを含む、請求項１１〜１２のいずれか一項に記載の方法。
【手続補正２】
【補正対象書類名】明細書
【補正対象項目名】００６９
【補正方法】変更
【補正の内容】
【００６９】
本開示の範囲は、本節におけるまたは本明細書の他の箇所における好ましい実施形態の特定の開示によって制限されることを意図するものではなく、本節においてまたは本明細書の他の箇所において提示されているか、またはこの後に提示される特許請求の範囲によって定義されうる。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
［付記項１］
創傷に陰圧を適用する装置であって、
流体流路を介して創傷被覆材に陰圧を提供するように構成される陰圧源と、
ユーザ入力に応答して第一の対の電気接点の状態と第二の対の電気接点の状態とを切り替えるように構成されたアクチュエータを備えるスイッチと、
制御回路であって、
電気接続状態にある前記第一の対の電気接点および電気接続状態にある前記第二の対の電気接点に応答して、前記陰圧源で陰圧を供給し、
電気接続状態にない前記第一の対の電気接点および電気接続状態にない前記第二の対の電気接点に応答して、前記陰圧源で陰圧を供給することを無効化するように構成される制御回路と、を備える、装置。
［付記項２］
前記制御回路が、前記電気接続状態にある前記第一の対の電気接点および前記電気接続状態にない前記第二の対の電気接点に応答して、前記陰圧源で陰圧を供給することを無効化にするように構成される、付記項１に記載の装置。
［付記項３］
前記アクチュエータが、前記ユーザ入力に応答して、前記第一の対の電気接点の前記状態と前記第二の対の電気接点の前記状態とを同時に切り替えるように構成される、付記項１または２に記載の装置。
［付記項４］
前記制御回路が、前記スイッチへの前記ユーザ入力以外のユーザ入力がないことに応答して、前記陰圧源で陰圧を供給するように構成される、付記項１〜３のいずれか一つまたは複数に記載の装置。
［付記項５］
アクチュエータが故障し、前記第一の対の電気接点の前記状態または前記第二の対の電気接点の前記状態を切り替えることができなくなると、前記制御回路が、前記陰圧源で陰圧を供給しなくなるようにさらに構成される、付記項１〜４のいずれか一つまたは複数に記載の装置。
［付記項６］
前記制御回路が、前記第二の対の電気接点の前記状態の切り替えに続く閾値期間内に切り替わらない前記第一の電気接点の前記状態に応答して、スイッチ故障を検出するようにさらに構成される、付記項１〜５のいずれか一つまたは複数に記載の装置。
［付記項７］
前記閾値期間が、０．５秒、１秒、２秒、３秒、または５秒である、付記項６に記載の装置。
［付記項８］
前記制御回路が、前記スイッチ故障の検出に応答して、スイッチ故障表示を出力するようにさらに構成される、付記項６または７に記載の装置。
［付記項９］
第一の対の電気接点が、複数の第一のトレースを含み、前記第二の対の電気接点が、複数の第二のトレースを含み、前記アクチュエータが、前記ユーザ入力に応答して、前記複数の第一のトレースを互いに短絡させ、前記複数の第二のトレースを互いに短絡させるように構成される、付記項１〜８のいずれか一つまたは複数に記載の装置。
［付記項１０］
前記陰圧源が、前記創傷被覆材上またはその中に配置される、付記項１〜９のいずれか一つまたは複数に記載の装置。
［付記項１１］
前記制御回路が、前記陰圧源の動作の停止、前記流体流路内に位置付けられたベントの開放、または前記流体流路内に位置付けられた弁の閉鎖によって、前記陰圧源での陰圧の供給を無効化するように構成される、付記項１〜１０のいずれか一つまたは複数に記載の装置。
［付記項１２］
前記スイッチが、前記スイッチの押下として前記ユーザ入力を受信するように構成される、付記項１〜１１のいずれか一つまたは複数に記載の装置。
［付記項１３］
創傷への陰圧の適用を制御するための方法であって、前記方法が、
スイッチのアクチュエータを使用して、前記スイッチへのユーザ入力の受信に応答して、第一の対の接点の状態と第二の対の接点の状態とを切り替えることと、
前記第一の対の接点の前記状態が第一の状態であり、前記第二の対の前記状態が第二の状態であることに応答して、流体流路を介して創傷被覆材に陰圧源で陰圧を供給することと、
前記第一の対の接点の前記状態が第一の状態にはなく、前記第二の対の接点の前記状態が第二の状態にはないことに応答して、前記陰圧源での陰圧の供給を無効化することと、を含み、
一回目では、前記第一の対の接点の前記状態が前記第一の状態であり、前記第二の対の接点の前記状態が前記第二の状態であり、二回目では、前記第一の対の接点の前記状態が前記第一の状態ではなく、前記第二の対の接点の前記状態が前記第二の状態ではない、方法。
［付記項１４］
前記第一および前記第二の状態が、電気接続の形成に対応する、付記項１３に記載の方法。
［付記項１５］
三回目では、前記第一の対の接点の前記状態が前記第一の状態であり、前記第二の対の接点の前記状態が前記第二の状態ではない、付記項１３または１４に記載の方法。
［付記項１６］
前記切り替えることが、前記スイッチへの前記ユーザ入力の受信に応答して、前記第一の対の接点の前記状態と前記第二の対の接点の前記状態とを同時に切り替えることを含む、付記項１３〜１５のいずれか一つまたは複数に記載の方法。
［付記項１７］
前記第二の対の接点の前記状態の切り替えに続く閾値期間内で切り替わらない前記第一の対の接点の前記状態に応答して、スイッチ故障を検出することをさらに含む、付記項１３〜１６のいずれか一つまたは複数に記載の方法。
［付記項１８］
前記閾値期間が０．５秒〜５秒である、付記項１７に記載の方法。
［付記項１９］
前記検出することに応答して、ユーザへの呈示のためにスイッチ故障表示を出力することをさらに含む、付記項１７または１８に記載の方法。
［付記項２０］
前記無効化することが、前記陰圧源の動作の停止、前記流体流路内に位置付けられたベントの開放、または前記流体流路内に位置付けられた弁の閉鎖によって、前記陰圧源での陰圧の供給を無効化することを含む、付記項１３〜１９のいずれか一つまたは複数に記載の方法。